(57)【要約】【課題】  施工性の向上と現場対応性の向上を図ることができる防火用充填材支持金具を提供する点にある。【解決手段】躯体Ｂに貫通形成された挿通孔Ｂ１の内面とこれに挿通される挿通体Ｃとの間の環状空間Ｓ内に充填される防火区画用充填材Ｄを受止め支持する環状の受止め部１と、この受止め部１の複数箇所から挿通孔Ｂ１の貫通軸線方向に延出する脚部２が形成され、これの各先端から外方に延出された挿通孔Ｂ１の開口縁に係止可能な掛止め部３から構成され、前記脚部２の長手方向の複数箇所には、該長手方向に対して交差する方向に沿って塑性変形可能な脆弱部５が形成されている。【選択図】        図３
2007262735.tif 000002
【特許請求の範囲】
【請求項１】
躯体に貫通形成された挿通孔の内面とこれに挿通される挿通体との間の環状空間内に充填される防火区画用充填材を受止め支持する環状の受止め部と、この受止め部の複数箇所から挿通孔の貫通軸線方向に延出する脚部が形成され、これの各先端から外方に延出された挿通孔の開口縁に係止可能な掛止め部から構成されている充填材支持金具であって、
前記脚部の長手方向の複数箇所には、該長手方向に対して交差する方向に沿って塑性変形可能な脆弱部が形成されている防火用充填材支持金具。
【請求項２】
前記脆弱部が、脚部に貫通孔を形成することにより構成されている請求項１記載の防火用充填材支持金具。
【請求項３】
前記受止め部の周方向一箇所が切断されているとともに、前記受止め部の周方向の切断箇所と径方向で対向する部位には、前記切断箇所が開いた展開姿勢から閉じた装着姿勢に切替えるための塑性変形可能な脆弱部が形成されている請求項１又は２記載の防火用充填材支持金具。
【請求項４】
前記受止め部の周方向の一箇所又は複数箇所には、径方向に塑性変形可能な脆弱部が形成されている請求項１〜３のいずれか１項に記載の防火用充填材支持金具。
【発明の詳細な説明】
【技術分野】
【０００１】
本発明は、躯体に貫通形成されている挿通孔の内周面とこれに挿通された挿通体との間の環状空間に充填された防火用充填材を受止め支持する防火用充填材支持金具に関する。
【背景技術】
【０００２】
従来、この種の防火用充填材支持金具として、挿通孔とこれに挿通される挿通体との隙間に対応する半環状の受止め部を備え、これの外周縁の２箇所から挿通孔の内面に沿って延設された脚部が設けられ、これの先端から挿通孔の開口縁に係止又は止着可能な掛止め部が外方に向けて形成された一対の分割支持金具から構成されているものが存在している。
この従来の防火用充填材支持金具では、挿通体が挿通された挿通孔対して一対の分割支持金具を、挿通体を挟んで対向するように挿通孔に装着して、挿通孔とこれに挿通体と受止め部とで囲まれた空間に防火用充填材を充填することが行なわれている（例えば、特許文献１を参照）。
【０００３】
【特許文献１】特開平７−１８０２３８号公報（第３頁、図２）
【発明の開示】
【発明が解決しようとする課題】
【０００４】
しかしながら、従来の防火用充填材支持金具にあっては、一対の分割支持金具を挿通孔に装着する必要があり、装着に手間がかかる問題がある。
また、この種の分割支持金具は、施工現場の挿通孔の貫通軸線に沿う孔長さに対応する長さの脚部を備えたものが使用されるが、施工現場で挿通孔の孔長さが異なっている場合、挿通孔の孔長さに対応する別の支持金具に差し替えたりする必要があり施工手間を要する問題がある。
【０００５】
本発明は上記の事情に鑑みてなされたものであり、その目的とするところは、施工性の向上と現場対応性の向上を図ることができる防火用充填材支持金具を提供する点にある。
【課題を解決するための手段】
【０００６】
本発明の第１番目の防火用充填材支持金具の特徴構成は、躯体に貫通形成された挿通孔の内面とこれに挿通される挿通体との間の環状空間内に充填される防火区画用充填材を受止め支持する環状の受止め部と、この受止め部の複数箇所から挿通孔の貫通軸線方向に延出する脚部が形成され、これの各先端から外方に延出された挿通孔の開口縁に係止可能な掛止め部から構成され、前記脚部の長手方向の複数箇所には、該長手方向に対して交差する方向に沿って塑性変形可能な脆弱部が形成されている点にある。
【０００７】
このような構成によれば、脆弱部を塑性変形して脚部を折り曲げ状態又は折畳み状態に変形することによって、脚部の長手方向の長さを折り曲げ前に比べて短くする変更操作することができる。
そのため、当該防火用充填材支持金具の装着対象である挿通孔の貫通軸線に沿う方向の孔長さが、脚部の長さよりも小である場合、孔長さに対応する長さに脚部を折り曲げ状態又は折畳み状態に変形操作して長さ変更することができる。
【０００８】
従って、施工現場で挿通孔の孔長さが異なっている場合、挿通孔の孔長さに対応する支持金具に差し替えたりしなければならなかった従来のこの種の防火用充填材支持金具に比べて、脚部の脆弱部を塑性変形して折り曲げ又は折畳み状態にして挿通孔の孔長さに対応する長さに変更することができるので、施工対応性の向上を図ることができる。
また、従来の防火用充填材支持金具のように、一対の分割支持金具を挿通孔に装着するものに比べて、一部材で防火用充填材支持金具が形成されているので、施工手間が少なくなり施工性の向上を図ることができる。
【０００９】
本発明の第２番目の防火用充填材支持金具の特徴構成は、前記脆弱部が、脚部に貫通孔を形成することにより構成されている点にある。
【００１０】
このような構成によれば、挿通孔といった簡単な孔加工によって脆弱部を形成することができる。
従って、製作が簡単で製作コスト性の向上を図ることができる。
【００１１】
本発明の第３番目の防火用充填材支持金具の特徴構成は、前記受止め部の周方向一箇所が切断されているとともに、前記受止め部の周方向の切断箇所と径方向で対向する部位には、前記切断箇所が開いた展開姿勢から閉じた装着姿勢に切替えるための塑性変形可能な脆弱部が形成されている点にある。
【００１２】
このような構成によれば、脆弱部を塑性変形することによって切断箇所が開いた展開姿勢から受止め部を縮径操作することで挿通体を受止め部内に案内収容し、この状態で脆弱部を塑性変形して切断箇所を閉じて挿通体に外嵌状態にすることができ、この状態で挿通孔に防火用充填材支持金具を装着することができる。
【００１３】
従って、挿通孔の孔長さに対応する長さに脚部を変更することができる機能と、挿通体が挿通された挿通孔に簡単に装着することができる機能とを併せ持っているので、従来の防火用充填材支持金具のように、一対の分割支持金具を挿通孔に装着するものに比べて、能率良く防火用充填材支持金具を挿通孔に装着することができるので、施工性の向上を図ることができる。
【００１４】
本発明の第４番目の防火用充填材支持金具の特徴構成は、前記受止め部の周方向の一箇所又は複数箇所には、径方向に塑性変形可能な脆弱部が形成されている点にある。
【００１５】
このような構成によれば、複数の脆弱部を拡縮操作して、施工現場の挿通孔の内周面に受止め部が沿う状態に受止め部を変形して、挿通孔の内面に各脚部が近接状態に面接する状態に防火用充填材支持金具を装着することができる。
【００１６】
従って、挿通孔の孔長さに対応する長さに脚部を変更することができる機能と、受止め部が挿通孔の孔径に対応する状態に変更する機能とを併せ持っているので、より現場対応性がよく施工性の向上を図ることができる。
【発明を実施するための最良の形態】
【００１７】
以下、本発明の充填材支持具の一実施例を図面に基づいて説明する。
［第１実施形態］
図１〜図１０に示す防火用充填材支持金具Ａは、躯体に貫通形成されている断面円形状の床孔である挿通孔Ｂ１の内周面とこれに挿通された挿通体Ｃとの間の環状空間Ｓに、防火用充填材Ｄを受止め支持するのに用いられる。
この第１実施形態においては、躯体Ｂの床孔である挿通孔Ｂ１に対して、例えば、複数の空調配管Ｃ１ａを結束させた配管類群Ｃ１から構成された挿通体Ｃが挿通される、挿通孔Ｂ１内面と、この挿通孔Ｂ１に挿通される挿通体Ｃの露出する外面との隙間Ｓに充填される防火用充填材Ｄを支持する防火用充填材支持金具Ａについて説明する。
【００１８】
前記防火用充填材Ｄは、図３、図９に示すように、例えば、巻装された長尺な厚さが約２ｍｍ程度の熱膨張性耐火材シートが用いられる。この防火用充填材Ｄは、例えば、耐火性材料、防音性材料の一例である断熱性を備えたロックウールの短繊維を主体に、火災時に膨張するように熱膨張性材料の一例である未焼成バーミキュライト粉末を含有させてフエルト状に湿式抄造によって構成され、軽量で弾性変形可能な可撓性が備えられている。
【００１９】
前記挿通体Ｃの構成部材である空調配管Ｃ１ａは、空調機の室内機と室外機とを配管する、送り配管、戻り配管、ドレン配管、制御ケーブルからなる配管であり、送りと戻りの両配管は、中心の金属管の周りに合成樹脂からなる断熱層を肉厚に被覆した管構造になっている。
【００２０】
躯体Ｂに貫通形成された挿通孔Ｂ１の内面とこれに挿通される挿通体Ｃとの間の環状空間Ｓ内に充填される防火区画用充填材Ｄを受止め支持する環状の受止め部１と、この受止め部１の複数箇所から挿通孔の貫通軸線方向に延出する脚部２が形成され、これの各先端から外方に延出された挿通孔Ｂ１の開口縁に係止可能な掛止め部３から構成されている。
【００２１】
前記防火用充填材支持金具Ａは、例えば、肉厚さ約２ｍｍ程度の厚さの鋼板製の板金から打抜き加工などで受止め部１、脚部２、掛止め部３を一体的に打抜き、受止め部１と脚部２、脚部と掛止め部３との境界を折り曲げて製作されている。
【００２２】
この実施形態の防火用充填材支持金具Ａは、受止め部１の両端部１Ａ，１Ａと中間部に合わせて４箇所に掛止め部３が設けられ、この掛止め部３に対して受止め部１の外周縁から略直角に折り曲げられて形成された脚部２と、これの先端から外方に略直角に折り曲げて形成された掛止め部３とから形成された断面倒立Ｌ字状で、挿通孔Ｂ１の開口縁に係止可能になっている。
【００２３】
前記掛止め部３には、コンクリートネジｂなどを用いて躯体Ｂに固定可能なネジ受孔３ａが形成されている。
【００２４】
前記各脚部２の長手方向の複数箇所には、該長手方向に対して交差する方向に沿って塑性変形可能な脆弱部５が形成されている。
【００２５】
この脚部２の脆弱部５は、例えば、図１、図２に示すように、長手方向に対して交差する方向に沿って一対の長方形状の貫通孔５ａを横並びに形成することにより、貫通孔間に形成される幅狭な板部２ａと、各貫通孔Ｂ１と受止め部１の長手方向に交差する端部に外側に向けに開口された切欠５ｂを形成することにより、この切欠５ｂと貫通孔５ａとの間に形成される幅狭な板部２ａとからこの部分と異なる他の脚部部分よりも塑性変形しやすい部分に形成して構成されている。
【００２６】
前記受止め部１は、図１、図３、図４に示すように、周方向一箇所が切断された切断箇所が最大限に開き状態となった略ω形状となった展開状態に形成されている。前記受止め部１の切断箇所４の間隔Ｌ１は、例えば、受止め部1を閉じた状態の内周縁の略内径Ｒ１の大きさに設定されている。
【００２７】
前記受止め部１の周方向の切断箇所４と径方向で対向する部位には、前記切断箇所４が開いた展開姿勢から閉じた装着姿勢に切替えるための塑性変形可能な脆弱部である主脆弱部６が形成されているとともに、前記受止め部１の周方向の一箇所又は複数箇所には、径方向に塑性変形可能な脆弱部である補助脆弱部７が形成されている。
【００２８】
前記受止め部１の主脆弱部６は、内周端縁部に内方側に向って開口する状態に形成された内側切込み６Ａと、この切込み部分の径方向に沿う外縁との間の板幅を他の部分よりも幅狭ない板部に１ａに形成して構成されている。
【００２９】
また、この主脆弱部６における内側切込み６Ａと反対位置に対応する受止め部部分に、外周端縁部に外方に向って突設する小片状の補助突部１ｂが一体形成されて構成されている。
【００３０】
前記内側切込み６Ａは、内周端縁部に内方側に向って開口する主切込み６Ａａと、これの中央部に内方側に向って開口する主切込みより小さな補助切込み６Ａｂから形成されている。
【００３１】
主脆弱部６は、展開状態にある受止め部１を閉じて主脆弱部６が塑性変形する際、前記補助切込み６Ａａの内周縁側が圧縮する変形の歪を吸収し、反対側の前記補助突部６Ａｂが外周縁側を伸長する変形の歪を吸収する構造にすることによって、受止め部１の折り曲げ品質の向上を図っている。
【００３２】
前記補助脆弱部７は、内周端縁部に内方側に向って開口する状態に形成されたＵ字状の切欠７Ａと、この切欠７Ａの径方向に沿う外縁との間の板幅を他の部分よりも幅狭ない板部に１ｃに形成して構成されている。
【００３３】
この実施形態の防火用充填材支持金具Ａでは、主脆弱部６の板部１ａが補助脆弱部７の板部１ｃより径方向に長く形成されている。そのため、主脆弱部６に比べて補助脆弱部７が塑性変形しやすい構造になっており、受止め部１を切断箇所４が開いた展開姿勢から閉じた装着姿勢に折り曲げ操作した場合、主脆弱部６が補助脆弱部７よりも優先して塑性変形して折り曲げることができる。
【００３４】
このような構成であれば、防火用充填材支持金具Ａを把持して挿通孔Ｂ１の開口から出た部分の挿通体Ｃを展開状態にある受止め部１内に案内収容し、この状態で受止め部１を縮径操作して主脆弱部６を塑性変形して折り曲げながら閉じて挿通体Ｃに外嵌し、続いて挿通孔Ｂ１側に防火用充填材支持金具Ａを移動させて掛止め部３を挿通Ｂ１孔の開口縁に係止して受止め部１を挿通孔１内に位置させるといった装着操作を連続的に能率よく行なうことができる。
【００３５】
そして、図５、図６に示すように、この状態で掛止め部３を挿通孔Ｂ１の開口縁にコンクリートネジｂで止着して防火用充填材支持金具Ａを挿通孔Ｂ１に固定し、この状態で挿通孔内面Ｂ１ａと挿通体Ｃとの間の環状隙間Ｓに防火用充填材Ｄを充填する。
【００３６】
この装着に際して、挿通孔Ｂ１の貫通軸線方向に沿う孔長さＬ２が、防火用充填材支持金具Ａの脚部２の長手方向の長さＬ３よりも短い場合、図６に示すように、例えば、脚部２の３箇所の脆弱部５を塑性変形して三角状に脚部２を折り曲げ状態にしたり、図７に示すように、脚部の３箇所の脆弱部５を塑性変形して折畳み状態にしたりすることによって、脚部２の長手方向の長さＬ３を挿通孔Ｂ１の孔長さＬ２に対応する長さに変更することができる。
【００３７】
また、この実施形態の防火用充填材支持金具Ａにおいては、受止め部１の外径Ｒ２が挿通孔Ｂ１の孔径Ｇ１よりも小径の場合や大径の場合（図１０）、補助脆弱部７を塑性変形させて受止め部１を曲げ操作して孔径Ｇ２に対応させることができるとともに、隣り合う補助脆弱部間の受止め部部分を孔内面に沿うようにすることができる。
【００３８】
前記防火用充填材Ｄの充填は、図９に示すように、挿通体Ｃにシート状の防火用充填材Ｄを挿通孔Ｂ１の内面Ｂ１ａに至るまで巻装して行なわれる。さらに詳しくは、挿通孔Ｂ１と挿通体Ｃとの間で防火用充填材Ｄが圧縮状態になるように巻装され、この巻装によって柔軟性のあるシート状の防火用充填材Ｄが、挿通体Ｃの凹凸形状に食い込む状態になり、挿通孔Ｂ１と挿通体Ｄとの間の環状隙間Ｓを閉塞する。
【００３９】
そして、万が一の火災に遭遇した場合、挿通孔Ｂ１は閉塞されているので、火災煙が、火災側と反対側に向うのを防止することができ、火災熱によって火災側の挿通体Ｃである空調配管Ｃ１ａの可燃性部分（溶融部分）が焼失するような状態に火災熱が至った場合、その火災による焼失分を補うように防火用充填材Ｄが膨張して、火災側と反対側に火災が延焼するのを遅延化することができる。
【００４０】
また、図示しないが、上記構成の防火用充填材支持金具Ａは、受止め部１上の別の防火用充填材支持金具Ａの受止め部を重ねあわせるような積重ねが可能であるので、多数の防火用充填材支持金具Ａを積重ねることによって在庫時や多数を使用する施工現場において、運搬の能率化や在庫スペースの集約利用化等の取扱い性の向上を図ることができる。
【００４１】
［別実施形態］
１）上記実施形態では、躯体Ｂの床孔である挿通孔Ｂ１に対して装着可能な防火用充填材支持金具Ａを用いた例を説明したが、本発明はこれに限らず、躯体Ｂの壁孔である挿通孔Ｂ１に対して装着可能な防火用充填材支持金具に適用してもよい。
また、孔経路長さが在るような挿通孔の場合、このような挿通孔の一方の開口側と他方の開口側との夫々に充填材支持具を装着するものであってもよい。この場合、装着された填材支持具より奥側に防火用充填材を充填することなく挿通孔を閉塞することができる。
【００４２】
２）上記実施形態では、熱膨張性耐火材シートからなる防火用充填材Ｄを用いる例を説明したが、本発明はこれに限らず、ブロック状の防火用充填材を充填に用いても、パテ状の公知の防火用充填材等を用いてもよい。
【００４３】
３）上記実施形態の防火用充填材支持金具Ａは、受止め部１に４箇所の脚部２を一体に設けた例を説明したが、本発明はこれに限らず、挿通孔Ｂ１の孔径Ｇ１に対応して、孔径Ｇ１の小さいものに対しては、脚部２の本数を少なく、反対に孔径Ｇ１の大きなものに対しては本数多くしたものであってもよい。
【００４４】
４）上記実施形態では、防火用充填材支持金具Ａの受止め部１に形成された補助脆弱部７が６箇所のものを図示したが、本発明はこれに限らず、それ以上であってもそれ以下であってもよい。
【００４５】
５）上記実施形態の防火用充填材支持金具Ａの受止め部１と脚部２と掛止め部３とが一体形成されたものについて説明したが、本発明はこれに限らず、受止め部１と脚部２と掛止め部３のうちの少なくとも一つが別部品に形成されそれらをスポット溶接等の接合手段で一体化したものであってもよい。
【００４６】
６）上記実施形態の脚部２に形成された脆弱部５では、受止め部１の内方側に向って開口する内側切込み６Ａによって他の受止め部部分よりも塑性変形しやすい板部２ａを形成する例を説明したが、本発明はこれに限らず、図１１に示すように、脚部２の長手方向に交差する両端縁に外側に開口が向く切欠５ｂを形成して、それら切欠間の板部２ｂを他の部分よりも塑性変形しやすくして脆弱部５を形成するものであってもよい。
【００４７】
この場合、同図（イ）、（ロ）に示すように、端縁部に浅い切欠５ｂから構成しても、同図（ハ）端縁部から内側に深い切欠５ｂから構成されていてもよい。
また、図１１（ニ）に示すように、受止め部１又は脚部２の長手方向に交差する方向に沿って一つの長孔５ｃを形成し、この長孔５ｃと端部との間の板部２ｃを他の部分よりも塑性変形しやすくして脆弱部５を形成するものであってもよい。
【図面の簡単な説明】
【００４８】
【図１】防火用充填材支持金具を示す斜視図
【図２】脚部の脆弱部を示す要部説明図
【図３】防火用充填材支持金具と挿通孔と挿通体とを示す分解斜視図
【図４】防火用充填材支持金具の開き状態と閉じ状態を示す平面図
【図５】防火用充填材支持金具と挿通孔と挿通体との間の環状隙間に防火用充填材を充填した状態を示す正断面図
【図６】防火用充填材支持金具の脚部の脆弱部を折り曲げて長さ変更した状態で防火用充填材を支持する状態を示す正断面図
【図７】防火用充填材支持金具の脚部の脆弱部を折畳んで長さ変更した状態で防火用充填材を支持する状態を示す正断面図
【図８】挿通孔に防火用充填材支持金具を装着した状態を示す簡略平面図
【図９】挿通孔に防火用充填材支持金具を装着した状態を示す簡略平断面図
【図１０】挿通孔に対応して防火用充填材支持金具を装着した状態を示す簡略平断面図
【図１１】脆弱部の変形例を示す要部説明図
【符号の説明】
【００４９】
Ａ          防火用充填材支持金具
Ｂ          躯体
Ｂ１        挿通孔
Ｃ          挿通体
Ｓ          環状隙間
Ｄ          防火用充填材
１          受止め部
２          脚部
３          掛止め部
４          切断箇所
５          脆弱部
５ａ        貫通孔
６          脆弱部
７          脆弱部
５Ａ，５Ｂ    切込み
５Ｃ，５Ｄ    穿孔
【図１】
2007262735.tif 000003
【図２】
2007262735.tif 000004
【図３】
2007262735.tif 000005
【図４】
2007262735.tif 000006
【図５】
2007262735.tif 000007
【図６】
2007262735.tif 000008
【図７】
2007262735.tif 000009
【図８】
2007262735.tif 000010
【図９】
2007262735.tif 000011
【図１０】
2007262735.tif 000012
【図１１】
2007262735.tif 000013